(57)【要約】【課題】通気性、着用者の顔面への密着性に優れたマスクの製造方法とそのマスクの提供。【解決手段】本発明は、マスク本体と耳掛け部を備えたマスクの製造方法であって、一枚の不織布又は複数枚の不織布からなるフィルター素材を、切り込み部を有する所定の形状に切断する工程と、切り込み部の両辺部を重ね合わせ、立体形状に組み立てると共に、両辺重合部を仮止めし、フィルター部材を形成する工程と、フィルター部材を金型内にインサートするとともに、金型を型締めし、フィルター部材の周縁部、周縁部に連続して折り曲げられ、着用者がマスクを着用したとき、着用者の顔面に密接する顔密接部、及び両辺重合部に対応する位置にキャビティを形成する工程と、金型のキャビティ内に熱可塑性エラストマーを射出し、フィルター部材と熱可塑性エラストマーとが一体に接合されたマスク本体を製造する工程とを有していることを特徴とする。【選択図】図５
2011030706.tif 000002
【特許請求の範囲】
【請求項１】
着用者の鼻、口及びその周辺を包囲して覆うマスク本体と、前記マスク本体の両側に設けられた耳掛け部とを備えたマスクの製造方法であって、
一枚の不織布又は複数枚の不織布からなるフィルター素材を、切り込み部を有する所定の形状に切断する工程と、
前記切り込み部の両方の辺部を重ね合わせ、立体形状に組み立てると共に、両方の前記辺部が重なり合った両辺重合部を仮止めし、フィルター部材を形成する工程と、
前記フィルター部材を金型内にインサートするとともに、前記金型を型締めし、前記フィルター部材の周縁部と、この周縁部に連続し、前記立体形状の内部側に折り曲げられ、着用者がマスクを着用したとき、着用者の顔面に密接する顔密接部と、前記両辺重合部とに対応する位置にキャビティを形成する工程と、
前記金型の前記キャビティ内に熱可塑性エラストマーを射出し、前記フィルター部材と前記熱可塑性エラストマーとが一体に接合された前記マスク本体を製造する工程とを有している
ことを特徴とするマスクの製造方法。
【請求項２】
着用者の鼻、口及びその周辺を包囲して覆うマスク本体と、前記マスク本体の両側に設けられた耳掛け部とを備えたマスクの製造方法であって、
一枚の不織布又は複数枚の不織布からなるフィルター素材を、切り込み部を有する所定の形状に切断する工程と、
前記切り込み部の両方の辺部を重ね合わせ、立体形状に組み立てると共に、両方の前記辺部が重なり合った両辺重合部を仮止めし、フィルター部材を形成する工程と、
前記フィルター部材を金型内にインサートするとともに、前記金型を型締めし、前記フィルター部材の周縁部と、前記周縁部の端部に設けられた係合部と、前記両辺重合部とに対応する位置にキャビティを形成する工程と、
前記金型の前記キャビティ内に熱可塑性合成樹脂又は熱可塑性エラストマーを射出し、前記フィルター部材と前記熱可塑性合成樹脂又は熱可塑性エラストマーとが一体に接合されたマスク体を製造する工程と、
外枠部と、前記外枠部と連続し、前記立体形状の内部側に折り曲げられ、着用者の顔面に密接する顔密接部と、前記マスク体の前記係合部を係脱可能に係合する被係合部とが設けられたマスク枠体を成形するための金型に熱可塑性エラストマーを射出し、マスク枠体を製造する工程と、
前記マスク枠体に前記マスク体を係合して前記マスク本体とする工程とを有している
ことを特徴とするマスクの製造方法。
【請求項３】
請求項１又は２に記載されたマスクの製造方法であって、
前記フィルター素材は、切り込み部を有する略ハート形状のものであり、
前記立体形状は、斜円錐形状又は略斜円錐形状である
ことを特徴とするマスクの製造方法。
【請求項４】
着用者の鼻、口及びその周辺を包囲して覆うマスク本体と、前記マスク本体の両側に設けられた耳掛け部とを備えたマスクであって、
前記マスク本体は、
一枚の不織布又は複数枚重ねた不織布からなるフィルター素材が、立体形状に形成されたフィルター部材と、
熱可塑性エラストマーで形成され、前記フィルター部材の周縁部に一体に接合された周縁エラストマー部と、前記周縁エラストマー部に連続し、前記立体形状の内部側に折り曲げられ、着用者がマスクを着用したとき、着用者の顔面に密接する顔密接エラストマー部とを有するエラストマー体とで構成されている
ことを特徴とするマスク。
【請求項５】
着用者の鼻、口及びその周辺を包囲して覆うマスク本体と、前記マスク本体の両側に設けられた耳掛け部とを備えたマスクであって、
前記マスク本体は、
一枚の不織布又は複数枚重ねた不織布からなるフィルター素材が、立体形状に形成されたフィルター部材と、前記フィルター部材の周縁部に一体に接合された周縁エラストマー部と、この周縁エラストマー部の端部に設けられた係合部とを有し、熱可塑性合成樹脂又は熱可塑性エラストマーで形成されたマスク体と、
熱可塑性エラストマーで形成され、前記マスク本体の枠部分を構成するものであって、外枠部と、前記外枠部に連続し、前記立体形状の内部側に折り曲げられ、着用者がマスクを着用したとき、着用者の顔面に密接する顔密接エラストマー部と、前記マスク体の前記係合部を係脱可能に係合する被係合部とを有するマスク枠体とで構成されている
ことを特徴とするマスク。
【請求項６】
請求項４又は５に記載されたマスクにおいて、
前記フィルター部材は、切り込み部を有する略ハート形状のフィルター素材を、前記切り込み部の両方の辺部を重ね合わせ、重ね合わせた両辺重合部に熱可塑性エラストマーを射出することで一体に接合されたものであり、
前記立体形状は、斜円錐形状又は略斜円錐形状である
ことを特徴とするマスク。
【請求項７】
請求項６に記載されたマスクにおいて、
前記マスク本体は、前記フィルター部材に、前記両辺重合部と異なる角度位置に、一又は複数のリブが放射状に形成されているものである
ことを特徴とするマスク。
【発明の詳細な説明】
【技術分野】
【０００１】
本発明は、鼻、口及びその周辺を包囲して、塵埃、花粉等の侵入防止、ウイルス、細菌等飛沫感染防止などを行うためのマスクの製造方法とそのマスクに関する。さらに詳しくは、マスクの顔面等への密着性を向上させたマスクを生産性高く製造できるマスクの製造方法とそのマスクに関する。
【背景技術】
【０００２】
マスクには、医療、病院関係者等が使用するサージカルマスク、クリーンルーム、食品加工現場等で作業する人が使用するフェイスマスク、何らかの作業に伴って発生する粉塵、ミスト等を吸引しないようにする目的の防塵マスク等いろいろなものがある。又、花粉症の人の花粉症対策のため、インフルエンザ、風邪等をひいてしまった時周囲の人に飛沫感染等させないため、インフルエンザ、風邪等の感染予防のため等で一般の人も着用している。さらに、従来からの布製（ガーゼ製）のマスクより、息苦しさが少ない、フィット感がある、しゃべりにくくない、長時間使用が可能などとしていわゆる「立体マスク」が、花粉症の人を含む多くの人に着用されるようになってきている。
【０００３】
通常、マスクに要求される性能には、塵埃、花粉等を捕集するためのフィルター（ろ過材）の性能が重要であるが、その他、マスクの防護性能としては、顔面に対するマスクの密着性（フィット性）も重視される。何故ならば、いかに高性能のフィルターを使用しても、マスクと顔面との間の密着が十分でないと、その隙間から塵埃、花粉等を吸い込み、結果的にはマスクとしての性能が低下するからである。
【０００４】
使い捨て式防じんマスクとして、不織布からなるろ過材を、鼻部及び口部を覆うように略半球状に成形したものがある。この使い捨て式防じんマスクは、掛け紐を締めたり、耳掛け部を耳に掛けたりすることにより、ろ過材を顔の起伏に追従して変化させるようにしている。しかしながら、素材が不織布であると変形性に乏しく、ろ過材の顔に対する接触部分が、顔面の起伏に十分追従できないおそれがある。マスクは、顔面に対して密着しないとその効果が減少してしまう。そのため、いろいろな提案がされている。
【０００５】
例えば、マスク着用者の鼻孔と口許とを覆う被覆部が、マスク着用者の顔面の前方に向かって凸となるような椀形を呈する通気性のフィルタ部を有し、フィルタ部の上縁部分からフィルタ部の径方向内側に向かって張り出している張り出し部にノーズクリップが取り付けられる簡易マスクに関する技術が知られている（例えば、特許文献１参照）。又、マスク本体部と接顔部とからなり、マスク本体部の周縁部と接顔部の周縁部とが接合され、接顔部はナイロン繊維又はポリエステル繊維からなる伸縮性を有する生地の片面にポリウレタン等の軟質樹脂をラミネートしたシート状生地で構成され、且つ、該ラミネートしたシート生地を異形リング状に切断されているマスクに関する技術が知られている（例えば、特許文献２参照）。
【先行技術文献】
【特許文献】
【０００６】
【特許文献１】特許第３９５５９０５号公報
【特許文献２】特開２００３−３２００４１号公報
【発明の概要】
【発明が解決しようとする課題】
【０００７】
特許文献１の簡易マスクの張り出し部は、通気性のフィルタ部が折り曲げられたものであり、被着者が、ノーズクリップ、チンクリップを鼻筋とその両側部分、顎部に倣うように塑性変形させ、密着させるものである。しかしながら、着用者の顔の形状、大きさ等は千差万別であり、被着者が行うマスクの上方部分、下方部分を、鼻筋、顎部等に倣うように変形させることがうまくできない場合には、着用者の顔面に確実に密着しないおそれがあるという問題点があった。
【０００８】
特許文献２のマスクは、複数種類の繊維を使用するとともに接合部が多く存在し、溶断、溶着、ラミネート工程等製造工程が多く、製造コストが高くなり安価に提供することができないおそれがあるという問題点がある。このようなマスクは安価に提供して、例えば、毎日新しいマスクに交換するようなことをしないと効果が薄れてしまう。又、フィット感がよくないと、着用者は、使用中、マスクに何回も触ることになり、もし手にウイルス等がついていた場合、それを自ら粘膜に近づけるようなもので、かえって感染リスクを高めるおそれが生じる。
【０００９】
そのため、着用者が着用するだけで確実に顔面に密接でき、構成が簡素で、安価なマスクとその製造方法の開発が要望されていた。
本発明は、前述した問題点を解決するためになされたもので、次の目的を達成する。
本発明の目的は、通気性、着用者の顔面への密接性に優れたマスクの製造方法とそのマスクを提供することにある。
【課題を解決するための手段】
【００１０】
本発明は、上述した目的を達成するために、次の手段を採用する。  
本発明１のマスクの製造方法は、着用者の鼻、口及びその周辺を包囲して覆うマスク本体と、前記マスク本体の両側に設けられた耳掛け部とを備えたマスクの製造方法であって、一枚の不織布又は複数枚の不織布からなるフィルター素材を、切り込み部を有する所定の形状に切断する工程と、前記切り込み部の両方の辺部を重ね合わせ、立体形状に組み立てると共に、両方の前記辺部が重なり合った両辺重合部を仮止めし、フィルター部材を形成する工程と、前記フィルター部材を金型内にインサートするとともに、前記金型を型締めし、前記フィルター部材の周縁部と、この周縁部に連続し、前記立体形状の内部側に折り曲げられ、着用者がマスクを着用したとき、着用者の顔面に密接する顔密接部と、前記両辺重合部とに対応する位置にキャビティを形成する工程と、前記金型の前記キャビティ内に熱可塑性エラストマーを射出し、前記フィルター部材と前記熱可塑性エラストマーとが一体に接合された前記マスク本体を製造する工程とを有していることを特徴とする。
【００１１】
本発明２マスクの製造方法は、
着用者の鼻、口及びその周辺を包囲して覆うマスク本体と、前記マスク本体の両側に設けられた耳掛け部とを備えたマスクの製造方法であって、一枚の不織布又は複数枚の不織布からなるフィルター素材を、切り込み部を有する所定の形状に切断する工程と、前記切り込み部の両方の辺部を重ね合わせ、立体形状に組み立てると共に、両方の前記辺部が重なり合った両辺重合部を仮止めし、フィルター部材を形成する工程と、前記フィルター部材を金型内にインサートするとともに、前記金型を型締めし、前記フィルター部材の周縁部と、前記周縁部の端部に設けられた係合部と、前記両辺重合部とに対応する位置にキャビティを形成する工程と、前記金型の前記キャビティ内に熱可塑性合成樹脂又は熱可塑性エラストマーを射出し、前記フィルター部材と前記熱可塑性合成樹脂又は熱可塑性エラストマーとが一体に接合されたマスク体を製造する工程と、外枠部と、前記外枠部と連続し、前記立体形状の内部側に折り曲げられ、着用者の顔面に密接する顔密接部と、前記マスク体の前記係合部を係脱可能に係合する被係合部とが設けられたマスク枠体を成形するための金型に熱可塑性エラストマーを射出し、マスク枠体を製造する工程と、前記マスク枠体に前記マスク体を係合して前記マスク本体とする工程とを有していることを特徴とする。
【００１２】
本発明３マスクの製造方法は、本発明１又は２において、
前記フィルター素材は、切り込み部を有する略ハート形状のものであり、前記立体形状は、斜円錐形状又は略斜円錐形状であることを特徴とする。
【００１３】
本発明４のマスクは、
着用者の鼻、口及びその周辺を包囲して覆うマスク本体と、前記マスク本体の両側に設けられた耳掛け部とを備えたマスクであって、前記マスク本体は、一枚の不織布又は複数枚重ねた不織布からなるフィルター素材が、立体形状に形成されたフィルター部材と、熱可塑性エラストマーで形成され、前記フィルター部材の周縁部に一体に接合された周縁エラストマー部と、前記周縁エラストマー部に連続し、前記立体形状の内部側に折り曲げられ、着用者がマスクを着用したとき、着用者の顔面に密接する顔密接エラストマー部とを有するエラストマー体とで構成されていることを特徴とする。
【００１４】
本発明５のマスクは、
着用者の鼻、口及びその周辺を包囲して覆うマスク本体と、前記マスク本体の両側に設けられた耳掛け部とを備えたマスクであって、前記マスク本体は、一枚の不織布又は複数枚重ねた不織布からなるフィルター素材が、立体形状に形成されたフィルター部材と、前記フィルター部材の周縁部に一体に接合された周縁エラストマー部と、この周縁エラストマー部の端部に設けられた係合部とを有し、熱可塑性合成樹脂又は熱可塑性エラストマーで形成されたマスク体と、熱可塑性エラストマーで形成され、前記マスク本体の枠部分を構成するものであって、外枠部と、前記外枠部に連続し、前記立体形状の内部側に折り曲げられ、着用者がマスクを着用したとき、着用者の顔面に密接する顔密接エラストマー部と、前記マスク体の前記係合部を係脱可能に係合する被係合部とを有するマスク枠体とで構成されていることを特徴とする。
【００１５】
本発明６のマスクは、本発明４又は５において、
前記フィルター部材は、切り込み部を有する略ハート形状のフィルター素材を、前記切り込み部の両方の辺部を重ね合わせ、重ね合わせた両辺重合部に熱可塑性エラストマーを射出することで一体に接合されたものであり、前記立体形状は、斜円錐形状であることを特徴とする。
本発明７のマスクは、本発明６において、前記マスク本体は、前記フィルター部材に、前記両辺重合部と異なる角度位置に、一又は複数のリブが放射状に形成されているものであることを特徴とする。
【発明の効果】
【００１６】
本発明のマスクは、着用者の顔面に接触する部位が、柔軟で弾性変形可能な熱可塑性エラストマーで形成されているため、着用者がマスクを着用する際、確実に顔面に密接する。従って、顔面とマスクの顔密接部との間に、隙間が生じるおそれがなく、マスクの密着性に関する性能が向上する。又、このマスクは、マスクのほぼ全面がフィルター部材であり息苦しさ等を生じさせることがなく、マスクの通気性に優れている。さらに、このマスクは、マスク着用に際し、着用者の顔面に密接させるための特別な手順を必要としないので、着用が容易である。又、このマスクは、装飾性、美観性、ファッション性等に優れたものであり、着用者のマスク着用への抵抗感を払拭できる。
【００１７】
本発明のマスクの製造方法は、生産性の高い射出成形により、フィルター部材と熱可塑性エラストマーとを一体化させるため、確実に一体化することができる。又、このマスクの製造方法は、着用者の顔面への密着性、通気性に優れたマスクを、高い生産性で、量産可能であり、マスクを安価に提供でき、経済性に優れている。
【図面の簡単な説明】
【００１８】
【図１】図１は、本発明のマスクが、着用者に着用されている状態を正面視で示す説明図である。
【図２】図２は、本発明のマスクのマスク本体の正面図である。
【図３】図３は、図２をＡ−Ａ線で切断した断面図である。
【図４】図４は、図２をＢ−Ｂ線で切断した断面図である。
【図５】図５は、マスクが、着用者に着用されている状態を側面視で示す図であって、図４に相当する断面図である。
【図６】図６は、フィルター素材を示す平面図である。
【図７】図７は、フィルター部材を示す斜視図である。
【図８】図８は、マスク本体を射出成形により製造する工程を模式的に、部分的に示す部分断面図であり、図８（ａ）は熱可塑性エラストマー射出前の状態、図８（ａ）は熱可塑性エラストマー射出後の状態を示している。
【図９】図９は、本発明のマスクの製造方法を示すフローチャートである。
【図１０】図１０は、本発明のマスクの他の実施の形態を示す断面図である。
【図１１】図１１は、本発明のマスクのさらに他の実施の形態を示す正面図である。
【図１２】図１２は、本発明のマスクのさらに他の実施の形態を示す正面図である。
【図１３】図１３は、フィルター部材とエラストマー体との接合部分の他の実施の形態を示す部分断面図である。
【発明を実施するための形態】
【００１９】
以下、本発明のマスクの製造方法とそのマスクについて、図面に基づいて、その実施の形態を詳細に説明する。なお、本発明のマスクは、サージカルマスク、衛生マスク、フェイスマスク、防塵マスク等として使用するのに好適なものである。
【００２０】
図１は、着用者が本発明のマスクを着用している状態を正面視で示す説明図、図２は、本発明のマスクのマスク本体の正面図、図３は、図２をＡ−Ａ線で切断した断面図、図４は、図２をＢ−Ｂ線で切断した断面図である。図５は、着用者が本発明のマスクを着用している状態を側面視で示す図であって、図４に相当する断面図である。図６は、フィルター素材を示す平面図、図７は、フィルター部材を示す斜視図である。
【００２１】
マスク１は、マスク着用者の鼻、口及びその周辺を包囲して、塵埃、花粉等の侵入防止、ウイルス、細菌等飛沫感染防止などを行うためのものである。マスク１は、マスク本体１５、耳掛け部５０等から構成されている。このマスク本体１５は、フィルター部材１０とエラストマー体２０とから構成されている。
【００２２】
フィルター部材１０は、フィルター素材１１が所定の立体形状に形成されたものであり、この形態では斜円錐形状又は略斜円錐形状に形成されている。フィルター部材１０は、切り欠き部１１ａが形成された平面視略ハート形状のフィルター素材１１（図６参照）を、切り欠き部１１ａの両方の辺部１１ｄ、辺部１１ｄ近傍が重なるように組み立てて斜円錐形状又は略斜円錐形状にしたものである（図７参照）。フィルター素材は一枚又は複数枚（例えば、３枚）重ねた不織布であり、所定の高通気性、高フィルター性能（捕集性能）を備えているものである。すなわち、フィルター部材は、着用者が息苦しさを感じない、ウイルス等微粒子の捕集が可能なものであるとよい。
【００２３】
このようなマスク素材としての不織布は公知なものであり、この形態の説明では詳細な説明を省略する。なお、複数枚の不織布を重ねる場合には、少なくとも一枚（例えば、中間部）の不織布を、目の細かい高性能の不織布、永久静電加工を施した不織布、ＨＥＰＡ規格の不織布、ナノレベルの太さの繊維からなる不織布等としてもよい。
【００２４】
フィルター部材１０は、周縁部１１ｂ、切り欠き部１１ａの両方の辺部１１ｄが重ね合わされた部位である重合部１１ｃ等が、所定の厚さに形成された弾性変形可能な熱可塑性エラストマーから成るエラストマー体２０で一体に接合されている。すなわち、エラストマー体２０は、周縁部１１ｂの回りに接合された周縁エラストマー部２１と、切り欠き部１１ａの両方の辺部１１ｄ、辺部１１ｄ近傍を重ね合わせた重合部１１ｃを覆って接合する重合エラストマー部２３と、周縁エラストマー部２１に連続し、かつ、立体形状の内部側（空間１６側）に折り曲げられている部位に形成され、着用者の顔面に密接する顔密接エラストマー部２２とからなっている。周縁エラストマー部２１は、フィルター部材１０の周縁の端部近傍を表裏両側から挟むように一体化されている。又、重合エラストマー部２３も重合部１１ｃ、重合部１１ｃ近傍を表裏両側から挟むように、かつ、重合部１１ｃを覆うように一体化されている。すなわち、これら接合部位から密閉性が低下することはない。
【００２５】
なお、熱可塑性エラストマーとしては、スチレン系、オレフィン系、塩ビ系、ウレタン系、エステル系、アミド系等の熱可塑性エラストマーが使用できる。又、エラストマー体２０は、赤、青、橙、緑等所定の色がつけられているとよい。例えば、フィルター部材１０は、透明、半透明、白色等のものとし、エラストマー体２０を所定の色とすれば、色のコントラスト等により、装飾性、美観性等を向上させることができる。又、着用者は、自分の好みの色のマスクを選択したり、マスクと服装等とをコーディネートさせることもできる。さらに、着用者は、その日の気分、天候等によりマスクを選択してもよい。
【００２６】
マスク本体１５は、フィルター部材１０とエラストマー体２０とが一体に接合されたものである。マスク本体１５の内部には空間１６が形成され、着用者が息苦しさを感じることがないようにしている。又、マスク着用者がしゃべりにくくなるようなことも生じない。
【００２７】
マスク本体１５には耳掛け部５０が設けられている（図１参照）。耳掛け部５０は、マスク本体１５に融着等で一体化された紐保持部５２、紐保持部５２に挿通された耳掛け紐５１から構成されている。なお、耳掛け部は、他の形状のものであってもよい。例えば、不織布等からなる布状の部材に、耳部を挿通させるための穴等を形成したものであってもよい。
【００２８】
図６〜９に従って、この形態のマスクの製造方法の説明を行う。
図８は、マスク本体を射出成形により製造する工程を模式的に、部分的に示す部分断面図であり、図８（ａ）は熱可塑性エラストマー射出前の状態、図８（ａ）は熱可塑性エラストマー射出後の状態を示している。図９は、本発明のマスクの製造方法を示すフローチャートである。
【００２９】
フィルター素材１１を、所定の形状に切断する（Ｓ５１）。この形態のフィルター素材１１は、切り欠き部１１ａが形成された略ハート形状に切断されている（図６参照）。図７に示すように、このフィルター素材１１を、切り欠き部１１ａの両方の辺部１１ｄ、辺部１１ｄ近傍が重なるように、切り欠き部１１ａの交点を頂点としてまるめ、切り欠き部１１ａの両方の辺部１１ｄ、辺部１１ｄ近傍が重なった部位である重合部１１ｃを、一箇所又は複数箇所、仮止めする（Ｓ５２）。この仮止めは、融着（溶着）等によればよく、例えば、高周波溶着、熱溶着、超音波溶着等の方法で行うことができる。又、両面接着剤等で接着してもよい。
【００３０】
この仮止めされたフィルター素材１１は、立体形状（例えば、斜円錐形状、略斜円錐形状）に形成されたフィルター部材１０となる。このフィルター部材１０を、金型３０内にインサートし、金型３０を型締めする（Ｓ５３）。型締めされた金型３０には、所定の位置（フィルター部材１０の周縁部１１ｂ及び周縁部１１ｂ近傍位置、重合部１１ｃ及び重合部１１ｃ近傍位置、顔密接部に対応する位置）にキャビティ３１、キャビティ３２が形成される（図８ａ参照）。このキャビティ３１、キャビティ３２に、図示しないゲート等を介して熱可塑性エラストマーを射出する（Ｓ５４）と、金型３０内にインサートされたフィルター部材１０と、射出された熱可塑性エラストマーからなるエラストマー体２０とが一体に接合する（図８ｂ参照）。
【００３１】
冷却後、金型３０を開き、フィルター部材１０とエラストマー体２０とが一体に接合したマスク本体１５を金型３０から取り出す（Ｓ５５）。このマスク本体１５には耳掛け部５０が設けられる（Ｓ５６）。すなわち、マスク本体１５は、マスク本体１５の両端に耳掛け紐５１を挿通させるための紐保持部５２を融着等して一体にし、紐保持部５２の穴内に耳掛け紐５１を挿通する。
【００３２】
このマスク１の着用方法について説明を行う。着用者は、従来と同様、鼻、口等をマスク本体１５で覆い、耳掛け部５０を耳に掛けることで、簡単にマスク１を着用することができる。このとき、顔密接エラストマー部２２が着用者の顔面に密接するが、顔密接エラストマー部２２は、柔軟で、弾性変形可能な材料である熱可塑性エラストマーで成形されているので、顔面の凹凸（顔の起伏）に追従して容易に弾性変形するとともに顔面に密接し、マスク１の性能を低下させることがない（図５参照）。すなわち、マスク１のフィット感がたいへん高い。又、着用者がメガネを使用している場合でも、呼気によってメガネが曇るようなことが生じない。
【００３３】
図１０に基づいて、マスクの他の実施の形態について説明を行う。
図１０は、他の実施の形態のマスクの断面図であり、前述した実施の形態の図３に相当する図である。又、他の実施の形態のマスクの正面図は、図２とほぼ同様であり省略している。又、前述した実施の形態と同一の部位には、同一の符号を付与し詳細な説明を省略している。
【００３４】
この他の形態のマスク１０１は、マスク体１１０が、マスク枠体１２０に対して係脱可能に係合する構成のものである。マスク体１１０は、フィルター部材１０の周縁部及び周縁部近傍、重合部及び重合部近傍の位置に相当するキャビティに熱可塑性合成樹脂が射出され、フィルター部材１０と熱可塑性合成樹脂からなる樹脂体１１２とが一体に接合されている。すなわち、マスク体１１０は、立体形状（例えば、斜円錐形状、略斜円錐形状）に形成されている。又、周縁部成形用キャビティには、後述するマスク枠体１２９と係脱可能に係合するための係合部を成形するための部位も含まれており、樹脂体１１２の周縁部の先端側には、係合部１１３が形成されている。なお、マスク体は、熱可塑性エラストマーが射出され、フィルター部材１０と熱可塑性エラストマーからなるエラストマー体とが一体に接合されたものであってもよい。
【００３５】
マスク枠体１２０は、マスク枠体成形用金型（図示せず）のキャビティに熱可塑性エラストマーが射出成形されたものである。マスク枠体１２０は、マスク１０１の外枠となる外枠部と、この外枠部に連続し、かつ、立体形状の内部側に折り曲げられている部位に形成され、着用者の顔面に接触する顔密接エラストマー部２２と、マスク体１１０の係合部１１３と対向するように設けられ、係合部１１３と係脱可能に係合する被係合部１２１とが形成されている。すなわち、マスク枠体１２０の被係合部１２１に、マスク体１１０の係合部１１３が係合、離脱することにより、マスク体１１０が交換可能になっている。例えば、マスク体１１０と、マスク枠体１２０とで構成されたマスク本体１１５は、使用時間が所定時間経過したマスク体１１０、汚れが発生したマスク体１１０のみを交換可能な形態となっている。マスク枠体１２０の両端には、耳掛け部（図示せず）が設けられている。
【００３６】
なお、この形態では、係合部を傾斜凸部、被係合部を傾斜凹部として示しているが、係合部を傾斜凹部、被係合部を傾斜凸部としてもよい。又、係合部を、係合穴部又は係合軸部とし、被係合部を、被係合軸部又は被係合穴部としてもよい。すなわち、係合部と被係合部とは、マスク体とマスク枠体とが係合、離脱できる構成になっているものであればよい。
【００３７】
以上、本発明の実施の形態を説明したが、本発明はこの実施の形態に限定されることはない。本発明の目的、趣旨を逸脱しない範囲内での変更が可能なことはいうまでもない。例えば、重合エラストマー部をマスク本体、マスク体の略斜円錐形状の短径側に形成したもので説明を行ったが、図１１に示すように、マスク２０１は、マスク本体、マスク体の略斜円錐形状の長径側等に重合エラストマー部２２３を形成したものであってもよい。
【００３８】
又、マスク３０１は、図１２に示すように、立体形状（斜円錐形状、略斜円錐形状）のマスク本体、マスク体に、一つ又は複数（この形態では２つ）のリブ部３２３を放射状に設けたものであってもよい。このようにすると、マスク本体、マスク体の剛性が向上する。さらに、フィルター部材は、不織布を熱プレス等により絞り込んで形成したものであってもよい。このフィルター部材の場合、立体形状が、斜円錐形状又は略斜円錐形状に限定されることはない。例えば、立体形状は、円錐状の面の中央部位、中央部近傍部位等が外側に膨らんだようなものであってもよい。
【００３９】
又、切り込み部は、周縁部側から交点までの辺部が、異なる角度の直線と直線を組み合わせた辺部のもの、直線と曲線とを組み合わせた辺部のもの等であってもよい。この切り込み部の形状、フィルター素材の周縁部の形状は、フィルター部材の立体形状に合わせて適宜選択されるものである。
【００４０】
さらに、熱可塑性エラストマーからなるエラストマー体とフィルター部材との接合部は、図１３に示すように、フィルター部材のどちらか一方の面に、一体に接合されているものであってもよい。例えば、フィルター部材の周縁部の内側に周縁エラストマー部２１ａと、重合エラストマー部が接合されている接合部（図１３（ａ）参照）とであってもよく、フィルター部材の周縁部の外側に周縁エラストマー部２１ｂ、重合エラストマー部が接合されている接合部（図１３（ｂ）参照）であってもよい。
【符号の説明】
【００４１】
１、１０１、２０１、３０１  …  マスク
１０  …  フィルター部材
１１  …  フィルター素材
１１ａ…  切り欠き部
１１ｂ…  周縁部
１１ｃ…  重合部
１５、１１５  …  マスク本体
２０  …  エラストマー体
２１  …  周縁エラストマー部
２２  …  顔密接エラストマー部
２３  …  重合エラストマー部
３０  …  金型
３１  …  キャビティ
３２  …  キャビティ
５０  …  耳掛け部
１１０…  マスク体
１２０…  マスク枠体
【図１】
2011030706.tif 000003
【図２】
2011030706.tif 000004
【図３】
2011030706.tif 000005
【図４】
2011030706.tif 000006
【図５】
2011030706.tif 000007
【図６】
2011030706.tif 000008
【図７】
2011030706.tif 000009
【図８】
2011030706.tif 000010
【図９】
2011030706.tif 000011
【図１０】
2011030706.tif 000012
【図１１】
2011030706.tif 000013
【図１２】
2011030706.tif 000014
【図１３】
2011030706.tif 000015